(57)【要約】      （修正有）【課題】使用者に番組を視聴できない状態であることを事前に通知することができる通信端末を提供する。【解決手段】携帯電話機１０は、デジタルチューナ３６およびテレビ機能を実行するためのテレビキーを含む起動画面を表示するディスプレイ３０などを備える。たとえば、起動画面は、メインメニュー画面でマルチメディアキーが操作されると表示される。また、起動画面に遷移する操作がされると、前回視聴していた番組に対する放送波が探索される。そして、放送波の探索ができなかった場合、テレビキーに対して、通知アイコンが関連付けて表示される。【選択図】図１
2013026868.tif 000002
【特許請求の範囲】
【請求項１】
放送波を受信するチューナおよび前記チューナを起動するための起動画面を表示する表示装置を有する、通信端末であって、
前記起動画面を表示させるための操作がされたかを判断する判断部、
前記判断部によって前記起動画面を表示させるための操作がされたと判断されたとき、放送波を探索する探索部、および
前記探索部によって放送波の探索ができなかったとき、探索結果を通知する通知部を備える、通信端末。
【請求項２】
前記通知部は、前記探索部によって放送波の探索ができなかったとき、前記起動画面に探索結果を表示する、請求項１記載の通信端末。
【請求項３】
前記通信機器を振動させる振動部をさらに備え、
前記通知部は、前記探索部によって放送波の探索ができなかったとき、前記振動部によって前記通信機器を振動させる、請求項１または２記載の通信端末。
【請求項４】
前記放送波は、地上デジタル放送の放送波を含む、請求項１ないし３のいずれかに記載の通信端末。
【請求項５】
前記起動画面には、待ち受け画面が含まれ、
前記待ち受け画面には、前記チューナを起動するためのキーが表示される、請求項１ないし４のいずれかに記載の通信端末。
【請求項６】
現在位置を測位する測位部、および
前記探索部によって放送波の探索ができず、前記位置取得部によって取得された位置が事前に設定された地域に含まれないとき、設定地域を表示する地域表示部をさらに備える、請求項１ないし５のいずれかに記載の通信端末。
【請求項７】
放送波を受信するチューナおよび前記チューナを起動するための起動画面を表示する表示装置を有する、通信端末のプロセッサを、
前記起動画面を表示させるための操作がされたかを判断する判断部、
前記判断部によって前記起動画面を表示させるための操作がされたと判断されたとき、放送波を探索する探索部、および
前記探索部によって放送波の探索ができなかったとき、探索結果を通知する通知部として機能させる、事前通知プログラム。
【請求項８】
放送波を受信するチューナおよび前記チューナを起動するための起動画面を表示する表示装置を有する、通信端末の事前通知方法であって、
前記起動画面を表示させるための操作がされたかを判断し、
前記起動画面を表示させるための操作がされたと判断されたとき、放送波を探索し、そして
放送波の探索ができなかったとき、探索結果を通知する、事前通知方法。
【発明の詳細な説明】
【技術分野】
【０００１】
この発明は、通信端末、事前通知プログラムおよび事前通知方法に関し、特に放送波を受信する、通信端末、事前通知プログラムおよび事前通知方法に関する。
【背景技術】
【０００２】
放送波を受信する、通信端末の一例が特許文献１に開示されている。特許文献１の携帯電話機では、テレビを視聴するための操作がなされると、制御部は、前回のテレビ番組の視聴が終了されたときに視聴されていたチャンネルを選択する。そして、選択されたチャンネルの番組がアンテナによって受信されると、選択されたチャンネルの番組の視聴が可能な状態になる。
【特許文献１】特開２００６−２５２０６号公報［H04N 5/44, H04M 1/00, H04M 1/26］
【発明の概要】
【発明が解決しようとする課題】
【０００３】
ところが、特許文献１の携帯電話機では、アンテナによって番組を受信できない場合、使用者はテレビを視聴するための操作を行わない限り、そのことを知ることができない。
【０００４】
それゆえに、この発明の主たる目的は、新規な、通信端末、事前通知プログラムおよび事前通知方法を提供することである。
【０００５】
この発明の他の目的は、番組を視聴する際の利便性を向上させることができる、通信端末、事前通知プログラムおよび事前通知方法を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、放送波を受信するチューナおよびチューナを起動するための起動画面を表示する表示装置を有する、通信端末であって、起動画面を表示させるための操作がされたかを判断する判断部、判断部によって起動画面を表示させるための操作がされたと判断されたとき、放送波を探索する探索部、および探索部によって放送波の探索ができなかったとき、探索結果を通知する通知部を備える、通信端末である。
【０００８】
第１の発明では、通信端末（１０：実施例において対応する部分を例示する参照符号。以下、同じ。）は、たとえばテレビ放送などの放送波を受信するチューナ（３６）およびテレビ機能を実行するためのキーを含む起動画面を表示する表示装置（３０）を備える。また、キー操作によってテレビ機能が実行されると、チューナが起動される。判断部（２４，Ｓ１）は、起動画面より前の画面（メインメニュー画面）で、この起動画面を表示させるための操作がされたかを判断する。探索部（２４，Ｓ３）は、起動画面を表示させる操作がされると、たとえば前回視聴していたチャンネルに対応する放送波を探索する。通知部（２４，Ｓ１５）は、放送波の探索ができなかったとき、表示や振動などによって探索結果を通知する。
【０００９】
第１の発明によれば、使用者には番組を視聴できない状態であることが事前に通知される。そのため、使用者は番組を視聴する際に不要な操作をしなくて済むようになるため、番組を視聴する際の利便性が向上する。
【００１０】
第２の発明は、第１の発明に従属し、通知部は、探索部によって放送波の探索ができなかったとき、起動画面に探索結果を表示する。
【００１１】
第２の発明では、放送波の探索ができなければ、探索結果としてアイコン（９０，９２）が起動画面に表示される。
【００１２】
第２の発明によれば、使用者は、通知結果によって、番組を視聴できない状態であることを、容易に知ることができる。
【００１３】
第３の発明は、第１の発明または第２の発明に従属し、通信機器を振動させる振動部をさらに備え、通知部は、探索部によって放送波の探索ができなかったとき、振動部によって通信機器を振動させる。
【００１４】
第３の発明では、振動部（４０）は、バイブレータとも呼ばれ、通信機器を振動させる。そして、放送波の探索ができない場合、振動部によって通信端末が振動する。
【００１５】
第３の発明によれば、使用者は、視覚や聴覚に頼らず、番組を視聴できない状態であることを知ることができる。
【００１６】
第４の発明は、第１の発明ないし第３の発明のいずれかに従属し、放送波は、地上デジタル放送の放送波を含む。
【００１７】
第４の発明によれば、たとえば、地上デジタル移動体向け（１セグメント）放送（以下、「ワンセグ放送」と言う。）に対応する通信端末に適用することができる。
【００１８】
第５の発明は、第１の発明ないし第４の発明のいずれかに従属し、起動画面には、待ち受け画面が含まれ、待ち受け画面には、チューナを起動するためのキーが表示される。
【００１９】
第５の発明では、たとえば、チューナを起動させるためのキー（１００）は、待ち受け画面において、ショートカットのように表示される。
【００２０】
第５の発明によれば、使用者は、待ち受け画面を表示させるだけで、放送を視聴できるかを確認できる。
【００２１】
第６の発明は、第１の発明ないし第５の発明のいずれかに従属し、現在位置を測位する測位部、および探索部によって放送波の探索ができず、位置取得部によって取得された位置が事前に設定された地域に含まれないとき、設定地域を表示する地域表示部をさらに備える。
【００２２】
第６の発明では、測位部（２４，Ｓ９）は、たとえばＧＰＳ衛星（４００）からの信号を利用して、現在位置を測位する。たとえば。測位された現在位置が東京都のある地点を示す経緯度であり、設定地域が「大阪」であれば、地域表示部（２４，Ｓ１３）は、『設定地域は、「大阪」です。』の文字列を表示する。
【００２３】
第６の発明によれば、放送波を探索できない場合、設定地域が表示されるため、使用者は設定地域を再設定すればよいことに容易に気づくことができる。
【００２４】
第７の発明は、放送波を受信するチューナ（３６）およびチューナを起動するための起動画面を表示する表示装置（３０）を有する、通信端末（１０）のプロセッサ（２４）を、起動画面を表示させるための操作がされたかを判断する判断部（Ｓ１）、判断部によって操作がされたと判断されたとき、放送波を探索する探索部（Ｓ３）、および探索部によって放送波の探索ができなかったとき、探索結果を通知する通知部（Ｓ１５）として機能させる、事前通知プログラムである。
【００２５】
第７の発明でも、第１の発明と同様、使用者には番組を視聴できない状態であることが事前に通知される。そのため、使用者は番組を視聴する際に不要な操作をしなくて済むようになるため、番組を視聴する際の利便性が向上する。
【００２６】
第８の発明は、放送波を受信するチューナ（３６）およびチューナを起動するための起動画面を表示する表示装置（３０）を有する、通信端末（１０）の事前通知方法であって、起動画面を表示させるための操作がされたかを判断し（Ｓ１）、操作がされたと判断されたとき、放送波を探索し（Ｓ３）、そして探索部によって放送波の探索ができなかったとき、探索結果を通知する（Ｓ１５）、事前通知方法である。
【００２７】
第８の発明でも、第１の発明と同様、使用者には番組を視聴できない状態であることが事前に通知される。そのため、使用者は番組を視聴する際に不要な操作をしなくて済むようになるため、番組を視聴する際の利便性が向上する。
【発明の効果】
【００２８】
この発明によれば、使用者には番組を視聴できない状態であることが事前に通知される。従って、番組を視聴する際に不要な操作を使用者にさせずに済むため、番組を視聴する際の利便性が向上する。
【００２９】
この発明の上述の目的、その他の目的、特徴および利点は、図面を参照して行う以下の実施例の詳細な説明から一層明らかとなろう。
【図面の簡単な説明】
【００３０】
【図１】図１はこの発明の一実施例の携帯電話機の電気的な構成を示す図解図である。
【図２】図２は図１に示すディスプレイに表示される画面の遷移の一例を示す図解図である。
【図３】図３は図１に示すディスプレイに表示される起動画面の一例を示す図解図である。
【図４】図４は図１に示すディスプレイに表示される起動画面の他の一例を示す図解図である。
【図５】図５は図１に示すディスプレイに表示される待ち受け画面の一例を示す図解図である。
【図６】図６は図１に示すＲＡＭのメモリマップの一例を示す図解図である。
【図７】図７は図１に示すプロセッサの事前通知処理の一例を示すフロー図である。
【発明を実施するための形態】
【００３１】
図１を参照して、本実施例の携帯電話機１０は、通信端末の一種であり、コンピュータまたはＣＰＵと呼ばれるプロセッサ２４を含む。また、プロセッサ２４には、無線通信回路１４、Ａ／Ｄ変換器１６、Ｄ／Ａ変換器２０、キー入力装置２６、表示ドライバ２８、フラッシュメモリ３２、ＲＡＭ３４、デジタルチューナ３６、振動部として機能するバイブレータ４０および発光部として機能するＬＥＤ４２が接続されると共に、ＧＰＳ回路４４も接続される。無線通信回路１４にはアンテナ１２が接続され、Ａ／Ｄ変換器１６にはマイク１８が接続され、Ｄ／Ａ変換器２０にはスピーカ２２が接続される。また、表示ドライバ２８には、ディスプレイ３０が接続される。さらに、デジタルチューナ３６には放送アンテナ３８が接続される。そして、ＧＰＳ回路４４にはＧＰＳアンテナ４６が接続される。
【００３２】
プロセッサ２４は携帯電話機１０の全体制御を司る。ＲＡＭ３４は、プロセッサ２４の作業領域（描画領域を含む）ないしバッファ領域として用いられる。フラッシュメモリ３２には、携帯電話機１０の文字、画像、音声、音および映像のようなコンテンツのデータが記録される。
【００３３】
Ａ／Ｄ変換器１６は、マイク１８を通して入力される音声ないし音についてのアナログ音声信号を、デジタル音声信号に変換する。Ｄ／Ａ変換器２０は、デジタル音声信号をアナログ音声信号に変換（復号）して、図示しないアンプを介してスピーカ２２に与える。したがって、アナログ音声信号に対応する音声ないし音がスピーカ２２から出力される。なお、プロセッサ２４は、アンプの増幅率を制御することで、スピーカ２２から出力される音声の音量を調整することができる。
【００３４】
キー入力装置２６は、メニューキー、カーソルキー、通話キーおよび終話キーなどを含む。そして、使用者が操作したキーの情報（キーデータ）はプロセッサ２４に入力される。また、キー入力装置２６に含まれる各キーが操作されると、クリック音が鳴る。したがって、使用者は、クリック音を聞くことで、キー操作に対する操作感を得ることができる。
【００３５】
表示ドライバ２８は、プロセッサ２４の指示の下、表示装置の一種であるディスプレイ３０の表示を制御する。また、表示ドライバ２８は表示する画像データを一時的に記憶するビデオメモリ（図示せず）を含む。
【００３６】
無線通信回路１４は、ＣＤＭＡ方式での無線通信を行うための回路である。たとえば、使用者がキー入力装置２６を用いて電話発信（発呼）を指示すると、無線通信回路１４は、プロセッサ２４の指示の下、電話発信処理を実行し、アンテナ１２を介して電話発信信号を出力する。電話発信信号は、基地局および通信網（図示せず）を経て相手の電話機に送信される。そして、相手の電話機において着信処理が行われると、通信可能状態が確立され、プロセッサ２４は通話処理を実行する。
【００３７】
通常の通話処理について具体的に説明すると、相手の電話機から送られてきた変調音声信号はアンテナ１２によって受信される。受信された変調音声信号には、無線通信回路１４によって復調処理および復号処理が施される。そして、これらの処理によって得られた受話音声信号は、Ｄ／Ａ変換器２０によってアナログ音声信号に変換された後、スピーカ２２から出力される。一方、マイク１８を通して取り込まれた送話音声信号は、Ａ／Ｄ変換器１６によってデジタル音声信号に変換された後、プロセッサ２４に与えられる。デジタル音声信号に変換された送話信号には、プロセッサ２４の指示の下、無線通信回路１４によって符号化処理および変調処理が施され、アンテナ１２を介して出力される。したがって、変調音声信号は、基地局および通信網を介して相手の電話機に送信される。
【００３８】
また、相手の電話機からの電話発信信号がアンテナ１２によって受信されると、無線通信回路１４は、電話着信（着呼）をプロセッサ２４に通知する。これに応じて、プロセッサ２４は、表示ドライバ２８を制御して、着信通知に記述された発信元情報（電話番号など）をディスプレイ３０に表示する。また、これとほぼ同時に、プロセッサ２４は、図示しないスピーカから着信音（着信メロディ、着信音声と言うこともある。）を出力させると共に、バイブレータ４０を起動することで携帯電話機１０を振動させ、ＬＥＤ４２を発光させる。
【００３９】
そして、使用者が通話キーを用いて応答操作を行うと、無線通信回路１４は、プロセッサ２４の指示の下、電話着信処理を実行する。さらに、通信可能状態が確立され、プロセッサ２４は上述した通常の通話処理を実行する。
【００４０】
また、通話可能状態に移行した後に終話キーによって通話終了操作が行われると、プロセッサ２４は、無線通信回路１４を制御して、通話相手に通話終了信号を送信する。そして、通話終了信号の送信後、プロセッサ２４は通話処理を終了する。また、先に通話相手から通話終了信号を受信した場合も、プロセッサ２４は通話処理を終了する。さらに、通話相手によらず、移動通信網から通話終了信号を受信した場合も、プロセッサ２４は通話処理を終了する。
【００４１】
ＧＰＳ回路４４は、現在の位置を測位（取得）する操作が行われると起動される。また、ＧＰＳアンテナ４６は、ＧＰＳ衛星４００から送信されるＧＰＳ信号を受信し、ＧＰＳ回路４６に出力する。そして、プロセッサ２６は、受信したＧＰＳ信号に基づいて測位処理を実行することで、現在位置データとして緯度および経度を算出する。このように、携帯電話機１０では、ＧＰＳ回路４４およびＧＰＳアンテナ４６が測位部として機能するため、現在位置を測位することができる。
【００４２】
なお、図１には、簡単のために、１つのＧＰＳ衛星４００しか描画していないが、現在位置を測位するためには、少なくとも３つ以上のＧＰＳ衛星４００からＧＰＳ信号を受信しなければならない。ただし、通常の測位処理では、二次元測位のため、緯度および経度しか算出できないが、４つのＧＰＳ衛星４００からＧＰＳ信号を受信できる場合、三次元測位によって、高度も算出することができる。
【００４３】
デジタルチューナ３６は、テレビおよびラジオの地上デジタル放送の放送波を受信する。たとえば、テレビ機能を実行するためのキーが操作されると、デジタルチューナ３６は起動する。また、起動したデジタルチューナ３６は、放送アンテナ３８によって受信したテレビの地上デジタル放送の放送波から、選局されたチャンネルに対応するテレビ放送信号を抽出する。さらに、デジタルチューナ３６は、その抽出したテレビ放送信号に対して復調等の処理を行い、復調信号（ＭＰＥＧ２トランスポートストリームとも言う。）を生成する。そして、デジタルチューナ３６は、ＭＰＥＧ−ＴＳデコーダ、ビデオデコーダ、字幕デコーダおよびオーディオデコーダを含むデコーダ（図示せず）に復調信号を出力する。
【００４４】
デコーダに入力された復調信号は、ＭＥＰＧ−ＴＳデコーダによってＭＰＥＧ方式に基づいた復号処理が行われ、映像信号、字幕信号および音声信号が形成される。また、映像信号はビデオデコーダでデコードされ、字幕信号は字幕デコーダでデコードされ、音声信号は音声デコーダでデコードされる。さらに、デコードされた各データはプロセッサ２４に入力される。そして、プロセッサ２４は、デコードされた映像データをビデオメモリに格納し、デコードされた音声データ（デジタル音声信号）をＤ／Ａ変換機２０に出力する。したがって、受信したテレビ放送に従う映像がディスプレイ３０に表示されるとともに、放送の音声（放送音声）がピーカ２２から出力される。
【００４５】
また、字幕を表示する設定がされている場合、プロセッサ２４は、デコードされた文字データを、映像データと共にビデオメモリに格納する。この字幕とは、放送番組に付随して、アナウンサーや、タレントなどが話す台詞などの放送音声の内容を表示するためのものである。そのため、使用者は、音声を聞かなくても、字幕と映像とを見るだけで、放送の内容を把握することができる。
【００４６】
また、プロセッサ２４は、テレビ機能を終了する操作がされると、視聴中のチャンネルの放送波に関する情報を記憶させる。そして、テレビ機能が再び実行されると、プロセッサ２４は、記憶した情報に基づいて、前回視聴していたチャンネルが選局されるように、デジタルチューナ３６に対して命令を出す。
【００４７】
また、テレビ機能が初めて実行される場合は、チャンネルの初期設定がされる。この初期設定では、使用者は、「オート」または「マニュアル」によってチャンネルを設定することができる。たとえば、「オート」が選択されると、所定周波数内で受信可能な放送波を調べることで、チャンネルが設定される。一方、「マニュアル」が選択されると、使用者によって設定された地域（設定地域）に基づいてチャンネルが設定される。
【００４８】
なお、番組を視聴しているときに、キー入力装置２４によってチャンネルを選局する操作がされると、プロセッサ２４は選局命令をデジタルチューナ３６に出力する。さらに、ラジオ機能を実行する場合でも、テレビ機能を実行する場合と略同じであるため、詳細な説明は省略する。
【００４９】
また、携帯電話機１０は、図示しないネットワークとの通信を確立することで、ブラウザ機能やメール機能などを実行することができる。また、携帯電話機１０は、図示しない二次電池の電池残量に基づいて利用目安時間を表示する、電池機能を実行することもできる。
【００５０】
図２（Ａ）−（Ｄ）は、テレビ機能を実行するときの画面の遷移の一例を示す図解図である。また、ディスプレイ３０の表示は、アンテナ１２による受信状態を示すアンテナイコン、二次電池の電池残量を示す電池アイコンおよび日時を含む状態表示領域６０および待ち受け画面（待機画面またはホーム画面と呼ばれることもある）、メニュー画面および起動画面などが表示される機能表示領域６２を含む。
【００５１】
たとえば、携帯電話機１０の電源がオンにされると、図２（Ａ）に示すように、状態表示領域６２に待ち受け画面が表示される。この状態で、メニューキーが操作されると、図２（Ｂ）に示すメインメニュー画面が、機能表示領域６２に表示される。このメインメニューには、スケジュールキー７０、データフォルダキー７２、メディアメニューキー７４および設定キー７６が表示されると共に、各キーを選択するためのカーソルＣｕが表示される。
【００５２】
また、カーソルＣｕは、カーソルキーによって位置を変更することができる。そして、使用者が任意のキーを操作する場合、任意のキーをカーソルＣｕによって選択した後にメニューキーが押下される。たとえば、スケジュールキー７０が操作されると、スケジュールを登録し、管理するためのスケジュール機能が実行される。データフォルダキー７２が操作されると、フラッシュメモリ３２およびＲＡＭ２４に記憶されているデータを表示したり管理したりするためのデータ管理機能が実行される。メディアメニューキー７４が操作されると、図２（Ｃ）に示すように、起動画面がメインメニュー画面に代えて表示される。設定キー７６が操作されると、設定画面（図示せず）がメインメニュー画面に代えて表示される。
【００５３】
図２（Ｃ）を参照して、起動画面にはテレビ機能を実行するためのテレビキー８０およびラジオ機能を実行するためのラジオキー８２が表示されると共に、カーソルＣｕが表示される。そして、テレビキー８０が操作されると、テレビ機能が実行され、放送波を受信できれば、図２（Ｄ）に示すように、テレビ放送およびデータ放送などが表示される。一方、ラジオキー８２が操作されると、ラジオ機能が実行され、音声がスピーカ２２から出力される。
【００５４】
ここで、本実施例では、起動画面に遷移したときに、番組を視聴できない状態であれば、そのことが事前に通知される。具体的に説明すると、他の画面から起動画面へ遷移する操作がされると、放送波の探索処理が実行される。このとき、本実施例の探索処理では、前回視聴していたチャンネルに対応する放送波が探索される。そして、放送波を探索（発見／受信）できない場合、図３に示すように通知アイコン９０をテレビキー８０に関連付けて表示する。また、放送波の探索ができない場合は、現在位置を測位し、その現在位置が設定地域の中に含まれていなければ、図４に示すように設定地域を補助表示する。これにより、使用者は、通知アイコン９０によって、番組を視聴できない状態であることを、容易に知ることができる。特に、設定地域が表示される場合、設定地域が表示されるため、使用者は設定地域を再設定すればよいことに容易に気づくことができる。ただし、他の実施例では、放送波の探索ができなければ、測位処理を実行せずに、設定地域を表示するようにしてもよい。
【００５５】
また、テレビ機能においてチャンネルの初期設定がされていない状態で、起動画面が表示された場合、前回視聴していたチャンネルが記憶されていないため、探索処理は実行されず、起動画面には「チャンネルの初期設定を行ってください。」の文字列が表示される。ただし、前回視聴していたチャンネルが記憶されていなければ、予め設定された放送波が探索されるようにしてもよい。また、測位処理によって測位された現在位置を含む地域を特定し、特定された地域における複数のチャンネルのうち、一番小さい番号のチャンネルに対応する放送波が探索されるようにしてもよい。
【００５６】
そして、起動画面が表示されている場合、所定時間（たとえば、１分）毎に放送波が再探索される。これにより、使用者が携帯電話機１０を持って移動した場合に、放送波を受信可能な場所へ到達したことを知ることができる。
【００５７】
また、他の実施例では、ラジオキー８２に対しても、通知アイコン９０が関連付けて示されてもよい。そして、放送波を探索できなかった場合に、通知アイコン９０を表示すると共に、バイブレータ４０による振動およびＬＥＤ４２による発光を行うようにしてもよい。
【００５８】
また、その他の実施例では、図５（Ａ）に示すように、待ち受け画面に、ショートカットのように、テレビ機能を実行するためのテレビキー１００、メール機能を実行するためのメールキー１０２および電池機能を実行するための電池キー１０４が表示される。この場合、待ち受け画面に遷移する操作がされると、放送波が探索される。そして、放送波を探索できなかった場合、図５（Ｂ）に示すように、テレビキー１００に対して通知アイコン９２が関連付けて表示される。
【００５９】
従って、使用者は、待ち受け画面を表示させるだけで、放送を視聴できるかを確認できる。そのため、使用者がテレビ機能を利用する頻度が高ければ、使用者の利便性は格段によくなる。そして、タッチパネルを有し、ホーム画面にアイコンが表示される、いわゆるスマートフォンに対しても、この実施例を適用することができる。
【００６０】
また、さらにその他の実施例では、放送波の探索ができない場合は、通知アイコン９０，９２を表示せずに、バイブレータ４０によって携帯電話機１０を振動させると共に、ＬＥＤ４２を発光させることで、放送波の探索ができなかったことを通知してもよい。これにより、使用者は、視覚や聴覚に頼らず、番組を視聴できない状態であることを知ることができる。
【００６１】
このように、本実施例の携帯電話機１０では、使用者には番組を視聴できない状態であることが事前に通知される。そのため、使用者は番組を視聴する際に不要な操作をしなくて済むようになるため、番組を視聴する際の利便性が向上する。たとえば、従来では、番組を視聴できない状態であっても、使用者はテレビ機能を起動させなければ、その状態を知ることができなかった。ところが、本実施例では、テレビ機能を起動させる操作を行う前に、番組を視聴できない状態を知ることができる。そのため、番組を視聴できない状態であれば、使用者は、テレビ機能を起動させる操作を行わずに済むようになる。
【００６２】
なお、これらの実施例は、ワンセグ放送に対応する携帯電話機１０にも適用することができる。
【００６３】
図６は、ＲＡＭ３４のメモリマップを示す図である。ＲＡＭ３４には、プログラム記憶領域３０２およびデータ記憶領域３０４が含まれる。また、プログラムおよびデータの一部は、フラッシュメモリ３２から一度に全部または必要に応じて部分的かつ順次的に読み出され、ＲＡＭ３４に記憶される。
【００６４】
プログラム記憶領域３０２には、携帯電話機１０を動作させるためのプログラムが記憶されている。たとえば、携帯電話機１０を動作させるためのプログラムには、事前通知プログラム３１０が含まれる。事前通知プログラム３１０は、起動画面に遷移したときに放送波を探索（受信）できていなければ、その探索結果を使用者に通知するためのプログラムである。なお、図示は省略するが、携帯電話機１０を動作させるためのプログラムには、放送波を探索するためのプログラムなどが含まれる。
【００６５】
続いて、データ記憶領域３０４には、キー画像データ３３０、通知アイコン画像データ３３２および設定地域データ３３４が記憶されると共に、探索カウンタ３３６が設けられる。キー画像データ３３０はテレビキー８０およびラジオキー８２などのキーを表示するための画像データである。通知アイコンデータ３３２は、図３，図５に示すような、通知アイコン９０，９２を表示するための画像データである。設定地域データ３３４は、テレビ機能において、使用者によって設定された地域を示すデータである。
【００６６】
探索カウンタ３３６は、所定時間を計測するためのカウンタであり、リセット（初期化）されるとカウント（計測）を開始する。そのため、探索カウンタ３３６は、探索タイマと呼ばれる。そして、本実施例では、探索タイマは、起動画面が表示されているときに通知処理が実行される度にリセットされる。
【００６７】
なお、図示は省略するが、データ記憶領域３０４には、待機状態で表示される画像データや、文字列のデータなどが記憶されると共に、携帯電話機１０の動作に必要なカウンタや、フラグも設けられる。
【００６８】
プロセッサ２４は、Ａｎｄｒｏｉｄ（登録商標）およびＲＥＸなどのＬｉｎｕｘ（登録商標）ベースのＯＳや、その他のＯＳの制御下で、図７に示す事前通知処理などを含む、複数のタスクを並列的に処理する。
【００６９】
図７は事前通知処理のフロー図である。たとえば、携帯電話機１０の電源がオンにされると、プロセッサ２４はステップＳ１で、起動画面に遷移する操作がされたか否かを判断する。たとえば、図２（Ｂ）に示すメインメニュー画面で、メディアメニューキー７４が操作されたかが判断される。なお、ステップＳ１の処理を実行するプロセッサ２４は判断部として機能する。
【００７０】
ステップＳ１で“ＮＯ”であれば、たとえばメインメニュー画面において、メディアメニューキー７４が操作されなければ、ステップＳ１の処理が繰り返して実行される。続いて、ステップＳ３では、放送波の探索処理を実行する。たとえば、前回視聴していたチャンネルに対応する放送波が探索される。なお、ステップＳ３の処理を実行するプロセッサ２４は探索部として機能する。
【００７１】
続いて、ステップＳ５では、起動画面を表示する。たとえば、メディアメニューキー７４が操作された場合は、図２（Ｃ）に示す起動画面が表示される。続いて、ステップＳ７では放送波を探索できたか否かを判断する。つまり、前回視聴していたチャンネルに対応する放送波を探索できたかが判断される。ステップＳ７で“ＹＥＳ”であれば、たとえば前回視聴していたチャンネルに対応する放送波の探索ができていれば、ステップＳ１７に進む。一方、ステップＳ７で“ＮＯ”であれば、たとえば前回視聴していたチャンネルに対応する放送波の探索ができていなければ、ステップＳ９で測位処理を実行する。つまり、ＧＰＳ回路４４を起動して、現在位置を測位する。続いて、ステップＳ１１では、設定地域の中か否かを判断する。つまり、測位された現在位置が設定地域の中に含まれているかが判断される。
【００７２】
ステップＳ１１で“ＹＥＳ”であれば、つまり設定地域データ３３４によって示される地域に測位された現在位置が含まれていれば、ステップＳ１５に進む。一方、ステップＳ１１で“ＮＯ”であれば、つまり設定地域に現在位置が含まれていなければ、ステップＳ１３で設定地域を表示する。たとえば、設定地域データ３３４が「大阪」を示しており、
測位された現在位置が東京都のある地点を示す経緯度であれば、図４に示すように『設定地域は「大阪」です。』の文字列がディスプレイ３０に表示される。
【００７３】
続いて、ステップＳ１５で通知処理を実行する。たとえば、プロセッサ２４は、探索結果として、図３，図４に示すように通知アイコン９０をディスプレイ３０に表示する。なお、ステップＳ１５の処理を実行するプロセッサ２４は通知部として機能する。
【００７４】
続いて、ステップＳ１７で探索タイマをリセットする。つまり所定時間を計測するために探索カウンタ３３６をリセットする。続いて、ステップＳ１９では、探索タイマが満了したか否かを判断する。つまり探索タイマによって所定時間が計測されたか否かが判断される。ステップＳ１９で“ＹＥＳ”であれば、つまり探索タイマが満了すれば、ステップＳ２１で、ステップＳ３と同様、放送波の探索処理を実行して、ステップＳ５に戻る。
【００７５】
一方、ステップＳ１９で“ＮＯ”であれば、つまり探索タイマが満了していなければ、ステップＳ２３で他の画面に遷移したか否かを判断する。たとえば、テレビキー８０が操作されたかが判断される。ステップＳ２３で“ＮＯ”であれば、たとえば携帯電話機１０に何も操作がされなければ、ステップＳ１９に戻る。また、ステップＳ２３で“ＹＥＳ”であれば、たとえば図２（Ｄ）に示すように、テレビ放送およびデータ放送などが表示されると、ステップＳ１に戻る。
【００７６】
なお、起動画面が図５（Ａ）に示す待ち受け画面である場合、たとえば、ステップＳ１ではメインメニュー画面で、終話キーが操作されたか否かが判断される。そして、ステップＳ５では図５（Ａ）に示す待ち受け画面が表示される。そして、ステップＳ１５では、図５（Ｂ）に示すように、テレビキー１００に通知アイコン９２が関連付けて表示される。
【００７７】
また、他の実施例では、デジタルチューナ３６に代えて、テレビ用のアナログチューナや、ラジオ用のアナログチューナなどが設けられてもよい。
【００７８】
また、携帯電話機１０の通信方式はＣＤＭＡ方式であるが、ＬＴＥ（Ｌｏｎｇ  Ｔｅｒｍ  Ｅｖｏｌｕｔｉｏｎ）方式、Ｗ−ＣＤＭＡ方式、ＧＳＭ方式、ＴＤＭＡ方式、ＦＤＭＡ方式およびＰＨＳ方式などが採用されてもよい。
【００７９】
また、本実施例で用いられた複数のプログラムは、データ配信用のサーバのＨＤＤに記憶され、ネットワークを介して携帯電話機１０に配信されてもよい。また、ＣＤ，ＤＶＤ，ＢＤ（Ｂｌｕ−ｒａｙ  Ｄｉｓｃ）などの光学ディスク、ＵＳＢメモリおよびメモリカードなどの記憶媒体に複数のプログラムを記憶させた状態で、その記憶媒体が販売または配布されてもよい。そして、上記したサーバや記憶媒体などを通じてダウンロードされた、複数のプログラムが本実施例と同等の構成の携帯電話機にインストールされた場合、本実施例と同等の効果が得られる。
【００８０】
さらに、本実施例は、携帯電話機１０のみに限らず、いわゆるスマートフォンおよびＰＤＡ（Ｐｅｒｓｏｎａｌ  Ｄｉｇｉｔａｌ  Ａｓｓｉｓｔａｎｔ）に適用されてもよい。
【００８１】
そして、本明細書中で挙げた、所定時間などの具体的な数値は、いずれも単なる一例であり、製品の仕様変更などに応じて適宜変更可能である。
【符号の説明】
【００８２】
１０    …  携帯電話機
１２    …  アンテナ
１４    …  無線通信回路
２４    …  プロセッサ
２６    …  キー入力装置
３０    …  ディスプレイ
３４    …  ＲＡＭ
３６    …  デジタルチューナ
３８    …  放送アンテナ
４０    …  バイブレータ
４２    …  ＬＥＤ
４４  …  ＧＰＳ回路
４６  …  ＧＰＳアンテナ
１００  …  テレビキー
４００  …  ＧＰＳ衛星
【図１】
2013026868.tif 000003
【図２】
2013026868.tif 000004
【図３】
2013026868.tif 000005
【図４】
2013026868.tif 000006
【図５】
2013026868.tif 000007
【図６】
2013026868.tif 000008
【図７】
2013026868.tif 000009